(57)【要約】【課題】  洗面器を滑らすことなく所定の位置に確実に配置でき、洗面器の下面に対応する上面の水切れ、水捌けを促進でき、また付属品を一掃して掃除の容易性や低廉化を図ることができるようにする。【解決手段】  洗面器１を置くための洗面器置き部２を上面３に形成している浴室用カウンターにおいて、上記の洗面器置き部２を、上方に先広がりの略逆円錐形に凹ませて内周面で洗面器１を支持自在に形成する。この洗面器置き部２の底２ａから排水路４を、上面３の外周部に向かって下り傾斜状に形成する。【選択図】      図１
2008126020.tif 000002
【特許請求の範囲】
【請求項１】
洗面器を置くための洗面器置き部が上面に形成されている浴室用カウンターであって、上記の洗面器置き部が、上方に先広がりの略逆円錐形に凹まれて内周面で洗面器を支持自在に形成され、この洗面器置き部の底から排水路が上面の外周部に向かって下り傾斜状に形成されていることを特徴とする浴室用カウンター。
【請求項２】
請求項１記載の浴室用カウンターであって、洗面器置き部が上面の左右方向の中央位置に形成され、排水路が後方に下り傾斜状に形成されると共に、この排水路から流れ下る水を左右方向に導く排水溝が、上面の後側に、左右方向の中央位置を頂点にして下り傾斜状に形成されていることを特徴とする浴室用カウンター。
【請求項３】
請求項１又は２記載の浴室用カウンターであって、洗面器置き部の輪郭が平面視で円形状であることを特徴とする浴室用カウンター。
【請求項４】
請求項１乃至３の何れかに記載の浴室用カウンターであって、洗面器置き部の内周面に、洗面器を受ける筋状の凸段差が、底を中心に放射状に形成されていることを特徴とする浴室用カウンター。
【発明の詳細な説明】
【技術分野】
【０００１】
本発明は浴室用カウンターに関し、更に詳しくは入浴時に洗面器等を載置して使用する浴室用カウンターに関するものである。
【背景技術】
【０００２】
従来この種のカウンターとしては、例えば上面を後方に下り傾斜状に形成し、上面の水を後側に流して排水するよう形成しているものがある（例えば特許文献１参照）。
またこの種の従来品としては、例えば洗面器の載置箇所をボール状に凹ませ、このボール部の上面を、すのこ状の蓋で覆ってこの蓋に洗面器を載置可能に形成すると共に、洗面器から流れ出る水をボール部で受け、ボール部の底に接続した排水管で排水可能に形成しているものがある（例えば特許文献２参照）。
【０００３】
而して特許文献１に記載のカウンターは、上面が後側に傾いているため、洗面器を上面に置くと、洗面器が後側（壁側）に滑って移動し易かった。従ってこの従来品によると、洗面器の位置が入浴者から遠くなり、入浴者は腕を伸ばしたり、身体を前傾させなければならないという不便があり、使い勝手が悪いものであった。
またこの従来品の場合は、洗面器が上面にベタに接したから、洗面器の下側の上面に残水し易く、この箇所の乾きが遅くなる、という問題点があった。
【０００４】
また特許文献２に記載の従来品は、すのこ状の蓋によって洗面器が上面にベタに接することはないが、これによると、蓋の掃除に手間暇がかかり、また蓋や排水管が必要になる分、コストが増加し、値段が高くなるのを避けられなかった。
【特許文献１】特開２０００−５０８９号公報
【特許文献２】特開平１１−２３５２８７号公報
【発明の開示】
【発明が解決しようとする課題】
【０００５】
本発明は、このような従来品の問題点に鑑み、提案されたものである。
従って本発明の解決しようとする技術的課題は、洗面器を置くための洗面器置き部が上面に形成されている浴室用カウンターにおいて、洗面器を滑らすことなく所定の位置に確実に配置でき、洗面器の下面に対応する上面の水切れ、水捌けを促進でき、また付属品を一掃して掃除の容易性や低廉化を図ることができるよう形成した浴室用カウンターを提供することにある。
【課題を解決するための手段】
【０００６】
本発明は、上記の課題を解決するため、次のような技術的手段を採る。
即ち本発明は、図１等に示されるように、洗面器１を置くための洗面器置き部２が上面３に形成されている浴室用カウンターであって、上記の洗面器置き部２が、上方に先広がりの略逆円錐形に凹まれて内周面で洗面器１を支持自在に形成され、この洗面器置き部２の底２ａから排水路４が上面３の外周部に向かって下り傾斜状に形成されていることを特徴とする（請求項１）。
【０００７】
ここで、略逆円錐形とは、逆四角錐などの角錐形状も含み、また図６A、Bに示されるように、洗面器置き部２の内周面は縦断面凹湾曲状でも、或いは直線で逆三角形状に形成されているのでも良い、ということを意味する。従って本発明の場合、洗面器置き部２の輪郭は、円形状には限られず、例えば四角形等の多角形状でも良い。またここで、内周面で洗面器１を支持自在に形成され、とは、洗面器置き部２の開口面の直径が、洗面器１の下面（下面に糸底状の脚１ａ（図２等参照）があるときは脚１ａ）の直径より大きく、洗面器置き部２の底２ａは洗面器１の下面の直径より小さく形成されている、ということを意味する。また本発明の場合、排水路４は、外周部に向かって下り傾斜状に形成されているのであれば、上面３の前後、或いは左右等、何れの方向に下り傾斜状に形成されているのでも良く、また排水路４は１個には限られない。
【０００８】
而して本発明の浴室用カウンターは、洗面器置き部２が上面３の左右方向の中央位置に形成され、排水路４が後方に下り傾斜状に形成されると共に、この排水路４から流れ下る水を左右方向に導く排水溝５が、上面３の後側に、左右方向の中央位置５ａを頂点にして下り傾斜状に形成されているのが好ましい（請求項２）。
なぜならこれによると、カウンターの中央に対応する浴室壁の位置に、鏡や蛇口をバランス良く配置して使用できるからである。またこの場合は、洗面器置き部２内の水を、上面３の後側から左右方向に導いて入浴者の足元から遠い位置に排水でき、足元が濡れることを防止できるからである。またこれによると、左右対称形状となり、浴室の左勝手、右勝手仕様を共用化できるからである。
【０００９】
また本発明は、洗面器置き部２の輪郭が平面視で円形状であるのが好ましい（請求項３）。
洗面器１は、通常、その多くは平面視で円形に形成されている。従ってこれによると、洗面器置き部２に洗面器１を同心状に位置決めし、水平に、且つ安定的に置き易くなるからである。
【００１０】
また本発明は、洗面器置き部２の内周面に、洗面器１を受ける筋状の凸段差６が、底２ａを中心に放射状に形成されているのが好ましい（請求項４）。
なぜならこれによると、凸段差６によって洗面器１の接触面積を抑えることができ、その分、接触箇所の残水を防止できることからである。またこの場合は、凸段差６の間の溝を介して洗面器１等から流れ落ちる水を底２ａに流すことができ、排水性が良くなることからである。
【発明の効果】
【００１１】
本発明は、このように洗面器を置くための洗面器置き部を、上方に先広がりの略逆円錐形に凹ませて内周面で洗面器を支持自在に形成し、この洗面器置き部の底から排水路を外周部に向かって下り傾斜状に形成しているものである。
従って本発明の場合は、洗面器の下面と、カウンターの上面との間に隙間ができ、洗面器の下面をカウンターの上面にベタに接することなく洗面器を載置できる。
それ故これによれば、洗面器に対応するカウンターの上面位置の水切り、水捌けを促進でき、この箇所の渇きを早めることができる。
また本発明によると、洗面器が滑って移動することがないから、入浴者は腕を伸ばしたり、無理な姿勢を強いられることなく、洗面器を楽に使用できる。
また本発明の場合は、洗面器を載置したり、上面の水を排水するために特別な付属品を必要とすることがない。従ってこれによると、掃除が容易になるだけではなく、部品コスト、組立てコストを抑えることができ、製品を安価に提供できる。
【発明を実施するための最良の形態】
【００１２】
以下、本発明を実施するための最良の形態を説明する。
本発明は、図１等に示されるように、洗面器１を置くための洗面器置き部２が、上面３に形成されている浴室用カウンターである。上記の洗面器置き部２は、上方に先広がりの略逆円錐形に凹まれて内周面で洗面器１を支持自在に形成されている。
【００１３】
洗面器置き部２は、この実施形態では輪郭が上から見て円形状に形成されている。また洗面器置き部２は、その開口面の直径が、洗面器１の下面の糸底状の脚１ａ（図２等参照）の直径より大きく、この実施形態では約１８０ミリメートル以上に、また底２ａは洗面器１の脚１ａの直径より小さく、約１２０ミリメートル以下に選定されている。またこの実施形態の洗面器置き部２は、上面３の左右方向の中央位置に形成されている。
【００１４】
４は、洗面器置き部２の底２ａに集まる水を排水するための排水路である。この排水路４は、この実施形態では洗面器置き部２の底２ａから上面３の外周部としての後側に向かって下り傾斜状に形成されている。排水路４は、この実施形態の場合、前後方向にわたって左右の幅が同一に形成されている。
【００１５】
５は、排水路４から流れ下る水を左右方向に導く排水溝である。この排水溝５は、上面３の後側に、左右方向の中央位置５ａを頂点にして下り傾斜状に形成されている。上面３は、洗い場側（前側）に平面視で円弧状に突き出され、平面視略半円状に形成されている。そして洗面器置き部２の左右側の上面位置３ａ（図１Ｂ参照）は、石鹸等を載置可能に平面状に形成されると共に、水切り、水捌けが良くなるよう、排水溝５に向かって僅かに下り勾配の傾斜面状に形成されている。
【００１６】
次に本発明品の使用例や水の流れについて説明する。
入浴者は、洗面器１を、洗面器置き部２に同心状に載せて使用する。洗面器置き部２は、逆円錐形状であり、内周面で洗面器１を支持するため、洗面器１を洗面器置き部２に配置すると、本発明品では洗面器１の下面と洗面器置き部２の底２ａとの間に隙間が生じる。そのため本発明品によると、洗面器１の下面に対応する位置の水は、洗面器１で邪魔されることなく排水路４を経て、この実施形態の場合は図１Aに矢示されるように、排水溝５から左右に導かれて排水される。
なお本発明品は、洗面器置き部２が逆円錐形状であることから、入浴者は、洗面器１の湯水を掬い易くなるよう、洗面器１を手前側（洗い場側）に傾けて洗面器置き部２に載せて使用することもできる。
【００１７】
以上の処において、本発明は、図７等に示されるように、洗面器置き部２の内周面に、洗面器１を受けるための筋状の凸段差６が、底２ａを中心に放射状に形成されているのでも良い。凸段差６は、この実施形態では洗面器置き部２の底２ａから外周縁に至って長く形成されている。洗面器置き部２が、このように形成される場合は、洗面器１との接触面積を抑えることができるから、接触箇所の乾きを早めることができる。また水は、凸段差６の間を介して流すことができるから、これによれば上面３や洗面器置き部２の内周面の水切り、水捌けが良くなる、という利点がある。
【００１８】
また排水路４は、上例では前後方向にわたって左右の幅が同一に形成されているが、本発明はこれに限定されるものではない。即ち、排水路４は、後側に向かって先広がりに形成されるのでも、逆に先細り状に形成されているのでも良い。排水路４が、上例のように平行状、或いは先細り状に形成される場合は、例えば後側に向かって先広がりに形成する場合に比べ、洗面器置き部２の内周面の面積を狭小化させることがない。従ってこれによれば、洗面器１を安定的に支持できる、という利点がある。
また本発明の場合は、排水路４の末端に、例えば排水孔を形成し、この排水孔を介して洗い場に排水させるのでも良く、上例のような排水溝５が形成される場合に限定されるものではない。
【図面の簡単な説明】
【００１９】
【図１】本発明の浴室用カウンターの好適な一実施形態を示し、Ａは斜視図、Ｂは平面図である。
【図２】図１BのＩＩ−ＩＩ線断面図である。
【図３】同上カウンターの使用状態時の正面図である。
【図４】図３のＩＶ−ＩＶ線断面図である。
【図５】同上カウンターの使用状態時の右側面図である。
【図６】Ａ、Ｂとも洗面器置き部の構成を示す要部縦断面図である。
【図７】同上カウンターの他の実施形態を示す斜視図である。
【図８】図７のＶＩＩＩ−ＶＩＩＩ線断面図である。
【符号の説明】
【００２０】
１      洗面器
２      洗面器置き部
２ａ    底
３      上面
４      排水路
【図１】
2008126020.tif 000003
【図２】
2008126020.tif 000004
【図３】
2008126020.tif 000005
【図４】
2008126020.tif 000006
【図５】
2008126020.tif 000007
【図６】
2008126020.tif 000008
【図７】
2008126020.tif 000009
【図８】
2008126020.tif 000010